(57)【要約】【課題】  放送と通信の融合を図ることにより、データ放送サービスの品質を向上させることを可能とする。【解決手段】  データ放送の受信者の端末からデータ放送時に発生する放送データ損失に関する情報を含むプロファイル情報を通信網経由で受信するプロファイリング部１０５と、前記受信したプロファイル情報に基づき、補完データを通信網経由で前記端末に送信する通信補完部１０６とを備えたサーバ１０１を有する。【選択図】    図１
2006165915.tif 000002
【特許請求の範囲】
【請求項１】
データ放送の受信者の端末からデータ放送時に発生する放送データ損失に関する情報を含むプロファイル情報を通信網経由で受信するプロファイリング手段と、
前記受信したプロファイル情報に基づき、補完データを通信網経由で前記端末に送信する通信補完手段と、
を備えたことを特徴とするデータ放送装置。
【請求項２】
前記受信したプロファイル情報に基づき、放送スケジュールを更新するスケジューリング手段を備え、
前記スケジューリング手段は、前記受信したプロファイル情報に基づき、補完データを配信する経路を放送網及び通信網の中から選択し、補完データの配信経路に放送網を選択した場合、当該選択結果を放送スケジュールに反映させることを特徴とする請求項１に記載のデータ放送装置。
【請求項３】
前記プロファイル情報は、データ放送の受信者の嗜好情報をさらに含むことを特徴とする請求項２に記載のデータ放送装置。
【請求項４】
データ放送を受信する手段と、
通信網に接続してデータ通信を行う手段と、
データ放送受信時に発生する放送データ損失に関する情報を収集する手段と、
該収集した放送データ損失に関する情報を含むプロファイル情報を前記通信網経由でデータ放送装置に送信するプロファイル情報送信制御手段と、
を備えたことを特徴とする端末。
【請求項５】
利用者の嗜好情報を収集する手段を備え、
前記プロファイル情報送信制御手段は、該収集した嗜好情報を前記プロファイル情報に含めることを特徴とする請求項４に記載の端末。
【請求項６】
請求項１から３のいずれかの項に記載のデータ放送装置と、請求項４又は５に記載の端末とを有することを特徴とするデータ放送システム。
【発明の詳細な説明】
【技術分野】
【０００１】
本発明は、データ放送装置、端末およびデータ放送システムに関する。
【背景技術】
【０００２】
近年、携帯電話向け地上デジタル放送サービスの実現に向け、ＡＲＩＢ（社団法人電波産業会）では標準規格の策定が進んでいる。この地上デジタル放送では、無線伝送方式としてＯＦＤＭ（Orthogonal Frequency Division Multiplexing）方式が採用されている。また、例えば特許文献１には、携帯電話等の受信端末へのデータ放送において、放送データを複数の階層に構造化したデータカルーセルにより伝送するデータ放送システムが開示されている。この従来のデータ放送システムでは、放送データをそのデータ容量を基に階層分けし、階層ごとに放送頻度を変更している。
【特許文献１】特開２００３−１４３０８９号公報
【発明の開示】
【発明が解決しようとする課題】
【０００３】
しかし、携帯電話向けの地上デジタル放送サービスの実現時には、以下に示すような問題が生じることが予想される。
利用者が高速移動時やビル街に居る時などの弱電界状態では、十分な通信スループットを得ることができず、放送データが格納されたパケットの損失が頻繁に発生する恐れがある。従来の放送メディアのうち、デジタルテレビ放送などにおける動画や音声に関してはすでにパケット損失への対処が施されているが、ＢＭＬ（Broadcast Markup Language）などによるデータ放送では、パケット損失への対処が行われていない。このため、データ放送時にパケット損失が発生した場合、繰り返し放送される放送データにより全ての放送データの受信が完了するまで、利用者の端末には何も表示されないという問題が生じる。例えば、ＨＴＭＬ（HyperText Markup Language）で記述されたコンテンツをデータ放送により配信する場合、そのＨＴＭＬデータを放送データとしてパケット化し伝送することになるが、パケット損失によりＨＴＭＬデータの一部分が欠けただけで、当該コンテンツを全く表示することができないという事態が起こりうる。
【０００４】
また、放送と通信の融合を図ったデータ放送システムを実現することが課題として挙げられる。放送は、不特定多数の受信者に対して一斉に同じ情報を配信することができるのに対し、通信は、特定の受信者に対して情報を配信することができると共に受信者からのリアクションを取得することができる。そこで、これら放送と通信の特性を融合させた新しいデータ配信の仕組みを提供することが望ましい。
【０００５】
そして、上述した問題点を解決するために、データ放送の受信状態がよくない環境であったとしても、データ放送時に損失したパケットに含まれていた放送データを補うための補完データを通信により配信することにより、データ放送により配信するコンテンツを利用者の端末に表示することが可能となるデータ放送システムを実現することが望まれる。
【０００６】
本発明は、このような事情を考慮してなされたもので、その目的は、放送と通信の融合を図ることにより、データ放送サービスの品質を向上させることができるデータ放送装置、端末およびデータ放送システムを提供することにある。
【課題を解決するための手段】
【０００７】
上記の課題を解決するために、本発明に係るデータ放送装置は、データ放送の受信者の端末からデータ放送時に発生する放送データ損失に関する情報を含むプロファイル情報を通信網経由で受信するプロファイリング手段と、前記受信したプロファイル情報に基づき、補完データを通信網経由で前記端末に送信する通信補完手段とを備えたことを特徴とする。
【０００８】
本発明に係るデータ放送装置においては、前記受信したプロファイル情報に基づき、放送スケジュールを更新するスケジューリング手段を備え、前記スケジューリング手段は、前記受信したプロファイル情報に基づき、補完データを配信する経路を放送網及び通信網の中から選択し、補完データの配信経路に放送網を選択した場合、当該選択結果を放送スケジュールに反映させることを特徴とする。
【０００９】
本発明に係るデータ放送装置においては、前記プロファイル情報は、データ放送の受信者の嗜好情報をさらに含むことを特徴とする。
【００１０】
本発明に係る端末は、データ放送を受信する手段と、通信網に接続してデータ通信を行う手段と、データ放送受信時に発生する放送データ損失に関する情報を収集する手段と、該収集した放送データ損失に関する情報を含むプロファイル情報を前記通信網経由でデータ放送装置に送信するプロファイル情報送信制御手段とを備えたことを特徴とする。
【００１１】
本発明に係る端末においては、利用者の嗜好情報を収集する手段を備え、前記プロファイル情報送信制御手段は、該収集した嗜好情報を前記プロファイル情報に含めることを特徴とする。
【００１２】
本発明に係るデータ放送システムは、請求項１から３のいずれかの項に記載のデータ放送装置と、請求項４又は５に記載の端末とを有することを特徴とする。
【発明の効果】
【００１３】
本発明によれば、放送と通信の融合を図ることができ、データ放送サービスの品質を向上させることが可能となる。
【発明を実施するための最良の形態】
【００１４】
以下、図面を参照し、本発明の一実施形態について説明する。
図１は、本発明の一実施形態に係るデータ放送システムの全体構成を示すブロック図である。図１において、データ放送システムは、サーバ（データ放送装置）１０１およびクライアント（端末）１１１を有する。
【００１５】
サーバ１０１は放送網および通信網の双方に接続されている。クライアント１１１は、放送網からデータを受信する機能と、通信網に接続してデータを送受信する機能とを有する。サーバ１０１は放送網経由でデータ放送を行う。クライアント１１１は放送網経由で該データ放送を受信する。データ放送では、放送するデータ（放送データ）からトランスポートストリーム（ＴＳ）データを生成し、該ＴＳデータをパケット化して伝送する。サーバ１０１は、OFDM上のMPEG2TS（MPEG2 over IP Transfer System）を用いてデータ放送を行う。又は、CDMA上のRTP（Real-time Transport Protocol）/UDP（User Datagram Protocol）/IP（Internet Protocol）を利用したマルチキャストによりデータ放送を行うこともできる。
【００１６】
また、サーバ１０１とクライアント１１１は、通信網を介して相互にデータを送受信することができる。例えば、ＴＣＰ（Transmission Control Protocol）／ＩＰ（Internet Protocol）によるパケット通信を行う。
【００１７】
放送網は、放送用電波を利用してデータを放送配信するためのものである。また、放送網は無線伝送方式としてＯＦＤＭ方式を用いる。通信網は、通信回線を提供するインターネットや固定電話網、携帯電話網などから構成される。
【００１８】
クライアント１１１は、放送網からデータ放送を受信するデータ放送受信機の機能と、通信網に接続してデータ通信を行う機能とを有する。通信網に接続してデータ通信を行う機能としては、例えば、携帯電話網に接続してデータ通信を行うものであってもよく、或いは固定電話網に接続してデータ通信を行うものであってもよい。例えば、クライアント１１１は、携帯電話機にデータ放送受信機能を備えたものである。
【００１９】
クライアント１１１は、利用者の嗜好情報やデータ放送受信中に発生した損失パケットに関する情報などのプロファイル情報をＣＣ／ＰＰ（Composite Capability / Preference Profiles）１０９準拠のデータとして管理する。そして、該ＣＣ／ＰＰ１０９を通信網経由でサーバ１０１に送信する。例えばＨＴＴＰ（HyperText Transfer Protocol）を用いたパケット通信１１３により、サーバ１０１にＣＣ／ＰＰ１０９を転送する。
【００２０】
サーバ１０１は、放送部１０２、トランスポートストリーム（ＴＳ）ジェネレート部１０３、スケジューリング部１０４、プロファイリング部１０５、通信補完部１０６及びリレーショナル・データベース・システム（ＲＤＢ）１０７を備える。また、サーバ１０１は、放送データを取得する手段の一つとしてオークション取得部１０８を備える。
【００２１】
サーバ１０１において、プロファイリング部１０５は、通信網経由でクライアント１１１からのＣＣ／ＰＰ１０９を受信する。そして、ＣＣ／ＰＰ１０９内のプロファイル情報を有する部分１１０をスケジューリング部１０４に出力する。さらにプロファイリング部１０５は、該プロファイル情報中の損失パケットに関する情報を通信補完部１０６に出力する。
【００２２】
スケジューリング部１０４は、プロファイリング部１０５からＣＣ／ＰＰ１１０を受け取り、ＣＣ／ＰＰ１１０からクライアント１１１からのプロファイル情報を取得する。スケジューリング部１０４は、クライアント１１１からのプロファイル情報に基づき、放送スケジュールを更新する。放送スケジュールはＴＳジェネレート部１０３に通知される。
【００２３】
また、スケジューリング部１０４は、クライアント１１１からのプロファイル情報に基づき、データ放送中に発生したパケット損失に対する補完データの配信方法を決定する。この補完データ配信方法の決定処理は、補完データの配信に使用する網を選択する処理を含む。つまり、放送網及び通信網の中から補完データの配信経路を選択する処理を含む。補完データを配信する網の選択処理の結果、放送網を選択した場合には、スケジューリング部１０４は、当該選択結果を放送スケジュールに反映させる。つまり、上記した放送スケジュール更新処理において、クライアント１１１に対して補完するデータを放送するためのスケジューリングを行う。
【００２４】
ＴＳジェネレート部１０３は、スケジューリング部１０４が決定した放送スケジュールに基づいて、ＲＤＢ１０７から放送データを取得しＴＳデータを生成する。ＴＳデータは放送部１０２に出力される。
【００２５】
放送部１０２は、ＴＳジェネレート部１０３から受け取ったＴＳデータを放送網経由で放送する。
【００２６】
通信補完部１０６は、プロファイリング部１０５から受け取った損失パケットに関する情報に基づき、クライアント１１１に対して補完する情報をＲＤＢ１０７から取得して補完データを生成する。この補完データは、通信網経由でクライアント１１１に送信される。例えばＨＴＴＰ（HyperText Transfer Protocol）を用いたパケット通信１１４により、クライアント１１１に補完データを転送する。
【００２７】
オークション取得部１０８は、定期的にオークションサーバ（図示せず）に対してアクセスし、商品に関する簡易情報を取得する。そして、その取得した商品に関する簡易情報をＲＤＢ１０７によりＲＤＢ化して保存する。なお、本実施形態では、放送データの一例としてオークションに係る情報を用いているが、これに限定されず、各種の情報を放送データとして扱うことが可能である。
【００２８】
クライアント１１１は、放送網経由で配信されるＴＳデータを受信すると共に、サーバ１０１からの指示に従い、補完データを放送網あるいは通信網から受信する。クライアント１１１は、データ放送受信中に損失したパケットに含まれていた情報を、補完データを利用して補う。
【００２９】
次に、クライアント１１１がサーバ１０１に提供するプロファイル情報について説明する。以下に、本実施形態に係るＣＣ／ＰＰ１０９に含める対象となる項目を示す。
嗜好情報；放送される情報のカテゴリに対して利用者が指定したもの。
受信完了通知；端末が１モジュール完全に受信したときに通知するもの。
表示完了通知；端末上のＢＭＬブラウザにコンテンツを表示（画面更新）したときに通知するもの。
損失エラー情報；端末がデータ放送受信時に損失した放送データに関して通知するもの。
通信補完完了通知；端末が通信補完部１０６からの補完データを受信完了したときに通知するもの。
ログイン情報；利用者が本データ放送システムにログインしたときに端末が通知するもの。
受信率情報；端末が放送データに対する受信率を通知するもの。
【００３０】
クライアント１１１は、上記各項目の情報を逐次収集する機能を有する。クライアント１１１は、上記全項目の中からサーバ１０１に通知する項目を適宜選択し、該選択した項目の情報をＣＣ／ＰＰ１０９に含める。
【００３１】
上述した実施形態によれば、放送データに関する嗜好情報を含むプロファイル情報をクライアントから通信回線経由で収集し、その収集したプロファイル情報に基づいて放送スケジュールを動的に変更することができる。また、プロファイル情報に含まれる、データ放送受信中に発生した放送データ損失に関する情報に基づいて放送スケジュールを動的に変更することができる。
【００３２】
これにより、携帯電話向け地上デジタル放送（データ放送）サービスにおいて、クライアントから通信網経由で通知されるプロファイル情報（嗜好情報、放送データの損失情報）に基づき、動的に放送データ配信戦略を決定し、クライアントのパケットロス耐性を高めることが可能となる。
【００３３】
また、上述した実施形態によれば、データ放送時に発生する放送データ損失に関する情報を含むプロファイル情報をクライアントから通信回線経由で収集し、その収集したプロファイル情報に基づいて補完データを通信網経由で配信することができる。これにより、データ放送の受信環境が良くない場所であったとしても、クライアントは通信網経由で補完データを受信できるので、データ放送により配信されるコンテンツを表示することができる。
【００３４】
さらに、上述した実施形態によれば、補完データの配信経路を放送網及び通信網の中から選択することができる。これにより、補完データの配信経路が適宜選択されて補完データがクライアントに配信されるので、補完データ配信の信頼性が向上する。この結果、クライアントにおけるコンテンツの表示にかかる遅延時間を短縮することが可能となる。
【００３５】
以上、本発明の実施形態を図面を参照して詳述してきたが、具体的な構成はこの実施形態に限られるものではなく、本発明の要旨を逸脱しない範囲の設計変更等も含まれる。
【図面の簡単な説明】
【００３６】
【図１】本発明の一実施形態に係るデータ放送システムの全体構成を示すブロック図である。
【符号の説明】
【００３７】
１０１…サーバ、１０２…放送部、１０３…トランスポートストリーム（ＴＳ）ジェネレート部、１０４…スケジューリング部、１０５…プロファイリング部、１０６…通信補完部、１０７…リレーショナル・データベース・システム（ＲＤＢ）、１０８…オークション取得部、１１１…クライアント。
【図１】
2006165915.tif 000003